(57)【特許請求の範囲】
【請求項１】
縦向ピンを中心に開閉可能に接続した１組の円弧形帯板の一方に取付金具を外側に設け、これらの帯板の対向側上下部を外側に屈曲して上下フランジを形成し、双方の上下フランジの対向端部をそれぞれ外側に拡幅してなり、一方の拡幅上下フランジの外端部に反対向側突出部を形成し、他方の拡幅上下フランジの外縁に切欠溝を形成し、ハンマー形ボルトのハンマー形基部を該切欠溝に回動自在に係合し、かつ該ボルトの先端部に螺合したナットの椀形ワッシャ内に上記反対向側突出部を挿入係合可能に形成し、かつハンマー形基部のボルト側上下に上記切欠溝の上下内縁に係合する円弧形溝を形成した電柱用ワンタッチバンド。
【請求項２】
他方の拡幅上下フランジの外縁に上記ボルトの開動角制限部を拡幅上下フランジに設けた請求項１記載の電柱用ワンタッチバンド。
【請求項３】
上記縦向ピンを中心とする双方の円弧形帯板の開動角制限具を備えた請求項１又は２記載の電柱用ワンタッチバンド。
【発明の詳細な説明】
【０００１】
【発明の属する技術分野】
本発明はコンクリート柱にがいし、開閉器、変圧器その他の電気機材を装着するための取付バンドに関するものである。
【０００２】
【従来の技術】
従来の電柱用ワンタッチバンドでは縦向ピンによって基端部を開閉自在に枢支した１組の円弧形帯板の両対向端部に、それぞれ外側に屈曲した縦断面コ字形対向板をボルト・ナットで支持し、該対向板をボルトで開閉自在に電柱に締め付けるものであり、電柱装着のアプローチの方向によっては１組の円弧形帯板の開き過ぎとなる場合があった。又該コ字形対向板に使用するボルトには縦向ピン及び脱落防止用割ピンが必要なことから部品数が多くなり、又対向板の形状が左右非対称であり、かつ構成部品数も多く更に複雑である等の問題があった。
【０００３】
【発明が解決しようとする課題】
本発明は構造単純でボルトによる電柱締付強度が大であり、該締付けによる上記コ字形対向端部の性能向上が図れ、かつ開き過ぎがなくどの位置からのアプローチでも電柱締付作業が不具合いにならない電柱用ワンタッチバンドを得ることを目的とする。
【０００４】
【課題を解決するための手段】
上記の目的を達成するため本発明は
縦向ピンを中心に開閉可能に接続した１組の円弧形帯板の一方に取付金具を外側に設け、これらの帯板の対向側上下部を外側に屈曲して上下フランジを形成し、双方の上下フランジの対向端部をそれぞれ外側に拡幅してなり、一方の拡幅上下フランジの外端部に反対向側突出部を形成し、他方の拡幅上下フランジの外縁に切欠溝を形成し、ハンマー形ボルトのハンマー形基部を該切欠溝に回動自在に係合し、かつ該ボルトの先端部に螺合したナットの椀形ワッシャ内に上記反対向側突出部を挿入係合可能に形成し、かつハンマー形基部のボルト側上下に上記切欠溝の上下内縁に係合する円弧形溝を形成した電柱用ワンタッチバンド
他方の拡幅上下フランジの外縁に上記ボルトの開動角制限部を拡幅上下フランジに設けた上記第１発明記載の電柱用ワンタッチバンド
上記縦向ピンを中心とする双方の円弧形帯板の開動角制限具を備えた上記第１又は第２発明記載の電柱用ワンタッチバンド
によって構成される。
【０００５】
【発明の実施の形態】
１組の鋼製円弧形帯板２，２’の一方２の基端に縦向ピン１の縦向枢支管１２を形成し、中程にがいし等の取付金具２ｃを外側に設ける。
【０００６】
他方の鋼製円弧形帯板２’の基端部には該帯板２’の上下縁に外向フランジ２ｄ、２ｄを設け、該フランジ２ｄ、２ｄに上記帯板２’に沿ってそれぞれ複数の透孔１３を穿設し、該透孔１３及び上記枢支管１２に縦向ピン１を挿入し頭部１’で下降脱落を阻止し、該ピン１を中心として１組の上記帯板２，２’を開閉可能に接続する。
【０００７】
上記帯板２，２’の対向側では上下部を外側に屈曲して上下フランジ２”、２”を形成し、縦断面コ字形となし、上下フランジ２”、２”による対向端部３，３’双方をそれぞれ外側に拡幅し、一方の拡幅された上下フランジ２ａ、２ａの外端部にそれぞれ半円弧形の反対向側突出部４を形成する。
【０００８】
又他方の拡幅上下フランジ２ｂ、２ｂの外縁にはそれぞれ切欠溝５を形成し、ハンマー形ボルト６のハンマー形基部６’を該切欠溝５に回動自在に係合し、かつ該ボルト６の先端部に螺合したナット７の椀形ワッシャ８内に上記反対向側突出部４を挿入係合し、その状態でナット７を回動して該突出部４を他方の拡幅上下フランジ２ｂ、２ｂ側に近接させることによって１組の上記円弧形帯板２，２’を電柱１４の外周に締付けることができる（図２）。
【０００９】
上記ハンマー形基部６’のボルト６側上下には上記切欠溝５の上下内縁５’、５’に係合する円弧形溝９，９を形成し、ハンマー形基部６’の上下方向摺動又は上下方向がたを防止する。
【００１０】
このように形成したハンマー形基部６’に１体に接続したボルト６の開動角α（図４）を制限する突起１０’、１０’又は該突起１０’、１０’に代り小透孔を穿設し割ピンを挿入して上記ボルト６の開動角αを制限する部分１０とすることもできる。
【００１１】
又他方の上記帯板２’の枢支側上下縁に形成した上記外向フランジ２ｄ、２ｄの上記透孔１３，１３と縦向枢支管１２とに挿通される縦向ピン１の頭部１’と上側外向フランジ２ｄの上面との間にワッシャ１１’を介在させ、該ワッシャ１１’を外向フランジ２ｄの外縁から下方に屈曲し、該屈曲部１１”が図５に示されるように一方の上記帯板２の外面に当接することによって両帯板２，２’の開動角βは制限され、これにより開動角制限具１１が形成される。
【００１２】
従って図１、図２に示されるように上記両帯板２，２’を電柱１４の回りに巻回し、ボルト６をナット７で締付ける際椀形ワッシャ８の内部に一方の対向端部３の拡幅フランジ２ａ、２ａにそれぞれ形成した反対向側突出部４，４が嵌入し、該突出部４，４は椀形ワッシャ８内に取り込まれて上下に開くことがなく縦断面コ字形の対向端部３の上下フランジ２”、２”によって強度が保持される。
【００１３】
又ハンマー形基部６’に形成した円弧形溝９，９が拡幅上下フランジ２ｂ、２ｂの外縁の切欠溝５の上下内縁５’、５’に係合するため上記拡幅上下フランジ２ｂ、２ｂがボルト６で牽引された際該フランジ２ｂ、２ｂは上下に拡大するおそれがなく、互いに対向する拡幅上下フランジ２ａ、２ｂの変形はない。
【００１４】
ロボットによってナット７の逆回動が行われボルト６は弛められ、さらに該ボルト６は図４仮想線位置から同図実線位置に角αだけ開かれ、さらに縦向ボルト１を中心として図１に示すように上記帯板２’は角βだけ開かれて電柱１４から取外されるが、逆の動作により図１、図２実線で示すように該電柱１４にロボットで巻回される。
【００１５】
尚、図２、図３中１５は縦向ピン１の抜け防止用割ピンである。
【００１６】
【発明の効果】
本発明は上述のように構成したので１組の円弧形帯板の対向端部がコ字形溝形に形成されてボルトによる締付け閉鎖に際し拡幅上下フランジが上下に開かれないため該対向端部が強化され、かつ単純化され部品数も少なく、かつ他方の上記帯板の開き過ぎが抑制され、かつボルトの外側への開き過ぎも防止し得て迅速簡便に上記帯板を巻回し得る効果がある。
【図面の簡単な説明】
【図１】本発明の電柱用ワンタッチバンドの平面図である。
【図２】図１の正面図である。
【図３】分解斜視図である。
【図４】ハンマー形ボルトの開閉状態図である。
【図５】１組の円弧形帯板を開いた状態の平面図である。
【符号の説明】
１        縦向ピン
２，２’    円弧形帯板
２”      上下フランジ
２ａ、２ｂ  拡幅上下フランジ
２ｃ      取付金具
３，３’    対向端部
４        反対向側突出部
５        切欠溝
５’      上下内縁
６        ハンマー形ボルト
６’      ハンマー形基部
７        ナット
８        椀形ワッシャ
９        円弧形溝
１０        開動角制限部
１１        開動角制限具
【図１】
0004113311.tif 000002
【図２】
0004113311.tif 000003
【図３】
0004113311.tif 000004
【図４】
0004113311.tif 000005
【図５】
0004113311.tif 000006